(57)【要約】【課題】複数画面表示機能を動作させて新たな映像を視聴する視聴者がテレビジョン装置から所定の距離未満の近距離にいる場合、多様な新映像について、当該新映像の視聴者のみならず、元の映像の視聴者にとっても最適映像の視聴が可能なように分割画面の大きさ、配置、表示態様を自動的に調整することができるテレビジョン装置を提供することを目的とする。【解決手段】複数画面表示機能を備えたテレビジョン装置１００は、新たに表示する映像の種類を判別する映像種類判別部１２１と、テレビジョン装置１００の近距離にいる視聴者により、複数画面表示処理の実行指示操作が行われたか否かを判定する判定部１２３とを有し、複数画面表示制御部１２２ａは、映像種類判別部１２１にて判別した映像の種類、及び、判定部１２３による判定結果に基づいて複数画面の表示制御を行う。【選択図】図２
2007288379.tif 000002
【特許請求の範囲】
【請求項１】
画面を分割して複数画面を同時に表示できる機能を有するテレビジョン装置において、
テレビジョン装置と視聴者との距離を測定するための距離センサを備え、
複数画面表示機能を動作させて新たな映像を視聴する視聴者とテレビジョン装置との距離が所定の距離以内の近距離の場合、
新たな映像の種類に応じて既表示映像と新映像の表示画面の大きさ及び配置を自動的に選択することを特徴とするテレビジョン装置。
【請求項２】
画面を分割して複数画面を同時に表示できる機能を有するテレビジョン装置において、
テレビジョン装置本体に複数画面起動キーを備え、
該キーの操作により複数画面表示機能を動作させて新たな映像を視聴する場合、
新映像の視聴者はテレビジョン装置から近距離で新映像を視聴するものと判定し、新映像の種類に応じて既表示映像と新映像の表示画面の大きさ及び配置を自動的に選択することを特徴とするテレビジョン装置。
【請求項３】
画面を分割して複数画面を同時に表示できる機能を有するテレビジョン装置において、
テレビジョン装置に外部機器からの信号入力によって複数画面表示機能を動作させ、
当該信号による新たな映像の視聴者はテレビジョン装置から近距離で視聴するものと判定し、新映像の種類に応じて既表示映像と新映像の表示画面の大きさ及び配置を自動的に選択することを特徴とするテレビジョン装置。
【請求項４】
テレビジョン装置本体に対し外部機器から信号の入力がなくなったことを検知して自動的に元の表示状態に復帰することを特徴とする請求項３に記載のテレビジョン装置。
【請求項５】
複数画面表示機能を動作させて新たな画面を視聴する視聴者がテレビジョン装置から離れたことを検知して元の表示状態に復帰することを特徴とする請求項１から４の何れかに記載のテレビジョン装置。
【請求項６】
新たに表示する映像がテレビ放送などの動画映像の場合、
既表示映像の表示画面を所定の大きさに設定して画面を分割すると共に、
新映像の視聴者とテレビジョン装置との相対位置に応じ画面の右側又は左側に分割された新画面を配置して縮小した新映像を表示することを特徴とする請求項１から５の何れかに記載のテレビジョン装置。
【請求項７】
新たに表示する映像が写真などの静止画の場合、
既表示映像の表示画面を所定の大きさに設定して画面を分割すると共に、
新映像の視聴者とテレビジョン装置との相対位置に応じ画面の右側又は左側に分割された新画面を配置し、
該新画面に新映像の静止画を縦に複数並べて表示することを特徴とする請求項１から５の何れかに記載のテレビジョン装置。
【請求項８】
新たに表示する映像が文章その他レイアウトの変更が可能な映像の場合、
既表示映像の表示画面を所定の大きさに設定して画面を分割すると共に、
新映像の視聴者とテレビジョン装置との相対位置に応じ画面の右側又は左側に分割された新画面を配置し、
該新画面に合わせてレイアウトを変更して新映像を縮小せずに表示することを特徴とする請求項１から５の何れかに記載のテレビジョン装置。
【請求項９】
新たに表示する映像が番組表や機器の操作メニューなどの一時的な表示を行う映像の場合、
既表示の表示画面は縮小せず、新映像は視聴者とテレビジョン装置との相対位置に応じ画面の右側又は左側に重ねて縮小して表示することを特徴とする請求項１から５の何れかに記載のテレビジョン装置。
【請求項１０】
新たな映像の表示に伴う音声信号を新映像が表示される右側又は左側のスピーカから小音量で出力することを特徴とする請求項１から９の何れかに記載のテレビジョン装置。
【発明の詳細な説明】
【技術分野】
【０００１】
本発明は、複数画面表示機能を有するテレビジョン装置に関するものである。
【背景技術】
【０００２】
現在、多くのテレビジョン装置には、２画面表示機能に代表される複数画面表示機能が備わっている。しかし、複数画面を最適な位置に配置するためには、この複数画面の配置位置やサイズを視聴者自らが手動で調整する必要があり、視聴者の負担となっていた。
【０００３】
そこで、この調整処理を自動化することで視聴者の負担を軽減できるテレビジョン装置が提案されており、その一例として特許文献１に記載されている発明がある。この特許文献１に記載の発明は、テレビジョン装置に距離センサを設け、リモコン操作者の画面に対する位置と距離に応じて、各画面の配置とサイズを自動的に調整するものである。例えば、視聴者がテレビジョン装置の近距離（遠距離）からリモコン操作により表示した画面は小さく（大きく）表示され、ディスプレイに向かって右側（左側）からリモコン操作により表示した画面はディスプレイの右側（左側）に表示される。
【特許文献１】特開２００４−３１８１２１号公報
【発明の開示】
【発明が解決しようとする課題】
【０００４】
しかし、特許文献１に記載の発明は、複数の視聴者のテレビジョン装置からの距離の比を基準に専ら複数画面の大きさを自動的に調整するのみで、表示する映像の種類に対応した表示の態様、音声出力の調整などに言及していない。例えば、テレビジョン装置に近い距離で文字情報などの映像を表示する場合、文字が縮小されて判読しづらくなるという問題があった。
【０００５】
特に、テレビジョン装置本体に備わっている複数画面起動キーを操作することにより複数画面表示機能を実行する場合等、複数画面表示機能を実行する視聴者がテレビジョン装置のごく近距離に位置している場合には、新映像を許容される限度まで縮小して表示するため、たとえ近距離にいる視聴者であっても文字情報やメニュー画面などが見づらくなってしまうという問題があった。
【０００６】
また、分割画面における映像の非表示領域が多く、画面表示が必ずしも効率的でない。このため、例えば、テレビジョン装置にケーブルなどで外部機器を接続してテレビジョン装置の近くで静止画像その他多様な映像を表示する場合、必ずしも、視聴者が満足する映像を表示することができなかった。
【０００７】
また、視聴者Ａが番組を視聴中に、視聴者Ｂが複数画面表示機能を利用し録画予約用画面を表示して録画予約をするとき、視聴者Ｂの録画予約が終了したにもかかわらず、視聴者Ｂが複数画面表示機能を中止せずにテレビジョン装置から離れた場合には、録画予約用画面が継続して表示されるため他の視聴者Ａが不快に感じるという問題があった。
【０００８】
本発明は、このような問題点を解決するためになされたものであり、このように複数画面表示機能を動作させて新たな映像を視聴する視聴者がテレビジョン装置から所定の距離未満の近距離にいる場合、多様な新映像について、当該新映像の視聴者のみならず、元の映像の視聴者にとっても最適映像の視聴が可能なように分割画面の大きさ、配置、表示態様を自動的に調整することができ、また、自動的に複数画面表示機能の終了を可能にするテレビジョン装置を提供することを目的とする。
【課題を解決するための手段】
【０００９】
第１の技術手段は、画面を分割して複数画面を同時に表示できる機能を有するテレビジョン装置において、テレビジョン装置と視聴者との距離を測定するための距離センサを備え、複数画面表示機能を動作させて新たな映像を視聴する視聴者とテレビジョン装置との距離が所定の距離以内の近距離の場合、新たな映像の種類に応じて既表示映像と新映像の表示画面の大きさ及び配置を自動的に選択することを特徴とするものである。
【００１０】
第２の技術手段は、画面を分割して複数画面を同時に表示できる機能を有するテレビジョン装置において、テレビジョン装置本体に複数画面起動キーを備え、該キーの操作により複数画面表示機能を動作させて新たな映像を視聴する場合、新映像の視聴者はテレビジョン装置から近距離で新映像を視聴するものと判定し、新映像の種類に応じて既表示映像と新映像の表示画面の大きさ及び配置を自動的に選択することを特徴とするものである。
【００１１】
第３の技術手段は、画面を分割して複数画面を同時に表示できる機能を有するテレビジョン装置において、テレビジョン装置に外部機器からの信号入力によって複数画面表示機能を動作させ、当該信号による新たな映像の視聴者はテレビジョン装置から近距離で視聴するものと判定し、新映像の種類に応じて既表示映像と新映像の表示画面の大きさ及び配置を自動的に選択することを特徴とするものである。
【００１２】
第４の技術手段は、第３の技術手段において、テレビジョン装置本体に対し外部機器から信号の入力がなくなったことを検知して自動的に元の表示状態に復帰することを特徴とするものである。
【００１３】
第５の技術手段は、第１から４の何れかの技術手段において、複数画面表示機能を動作させて新たな画面を視聴する視聴者がテレビジョン装置から離れたことを検知して元の表示状態に復帰することを特徴とするものである。
【００１４】
第６の技術手段は、第１から５の何れかの技術手段において、新たに表示する映像がテレビ放送などの動画映像の場合、既表示映像の表示画面を所定の大きさに設定して画面を分割すると共に、新映像の視聴者とテレビジョン装置との相対位置に応じ画面の右側又は左側に分割された新画面を配置して縮小した新映像を表示することを特徴とするものである。
【００１５】
第７の技術手段は、第１から５の何れかの技術手段において、新たに表示する映像が写真などの静止画の場合、既表示映像の表示画面を所定の大きさに設定して画面を分割すると共に、新映像の視聴者とテレビジョン装置との相対位置に応じ画面の右側又は左側に分割された新画面を配置し、該新画面に新映像の静止画を縦に複数並べて表示することを特徴とするものである。
【００１６】
第８の技術手段は、第１から５の何れかの技術手段において、新たに表示する映像が文章その他レイアウトの変更が可能な映像の場合、既表示映像の表示画面を所定の大きさに設定して画面を分割すると共に、新映像の視聴者とテレビジョン装置との相対位置に応じ画面の右側又は左側に分割された新画面を配置し、該新画面に合わせてレイアウトを変更して新映像を縮小せずに表示することを特徴とするものである。
【００１７】
第９の技術手段は、第１から５の何れかの技術手段において、新たに表示する映像が番組表や機器の操作メニューなどの一時的な表示を行う映像の場合、既表示の表示画面は縮小せず、新映像は視聴者とテレビジョン装置との相対位置に応じ画面の右側又は左側に重ねて縮小して表示することを特徴とするものである。
【００１８】
第１０の技術手段は、第１から９の何れかの技術手段において、新たな映像の表示に伴う音声信号を新映像が表示される右側又は左側のスピーカから小音量で出力することを特徴とするものである。
【発明の効果】
【００１９】
本発明により、複数画面表示機能を利用してテレビジョン装置の近くで新たな映像を視聴する場合に、テレビジョン装置本体の近距離にいる視聴者のみならず他の視聴者にとっても最適な画面の配置位置やサイズを自動的に調整することができ、さらに、複数画面表示機能を自動的に終了することができるため、視聴者の利便性が向上する。また、分割した画面の表示領域を有効に利用して多様な新映像を視聴することができる。
【発明を実施するための最良の形態】
【００２０】
（実施例１）
図１は、本発明によるテレビジョン装置を正面から俯瞰した図で、ディスプレイ１０１の画面が、Ｐ１、Ｐ２の二つの映像を同時に表示できるように分割された一例を示している。１０２Ｒ（１０２Ｌ）はテレビジョン装置１００に向かって右側（左側）に配置されているスピーカ、１０３Ｒ（１０３Ｌ）はテレビジョン装置１００に向かって右側（左側）に配置されている、視聴者との距離を測定するセンサ、２００はテレビジョン装置１００を操作するためのリモコンである。なお、このリモコン２００には複数画面起動キーが備わっている。
【００２１】
図２は、本発明によるテレビジョン装置の実施例を説明するためのブロック図である。図中、１００は、本発明によるテレビジョン装置で、１１１，１１２は、図示しない映像音声信号供給部から供給される映像信号，音声信号に所定の処理を施す映像信号処理部，音声信号処理部である。
【００２２】
１２１は、映像信号処理部１１１から入力された新たに表示する映像の種類を判別する映像種類判別部、１２２は、複数画面表示制御部１２２ａ及び音声出力制御部１２２ｂを有する複数画面表示・音声出力制御部である。１２２ａは、映像種類判別部１２１で判別した新映像の種類に応じて既表示映像と新映像の表示画面の大きさ及び配置を自動的に選択できるように複数画面の表示制御を行う複数画面表示制御部、１２２ｂは、新映像の表示に伴う音声信号を新映像が表示される右側又は左側のスピーカから小音量で出力できるように制御を行う音声出力制御部である。
１２３は、センサ部１３４が検出した視聴者の位置情報を利用して、テレビジョン装置１００から所定の距離未満に位置する視聴者がリモコン２００に備えられた複数画面起動キーを操作したか否か（換言すれば、新映像の視聴者はテレビジョン装置から近距離で新映像を視聴するか否か）を判定する判定部である。また、図６に示すように判定部１２３は、テレビジョン装置１００本体に備えた複数画面起動キーが操作された場合、あるいは、テレビジョン装置１００に外部機器からの信号入力があった場合には近距離の視聴者により複数画面表示機能が実行されたものと判定する。
【００２３】
１３１は、ディスプレイ等から構成され映像出力処理を行う映像出力部、１３２は、スピーカ等から構成され音声出力処理を行う音声出力部、１３３は、リモコン２００が発光した信号を受光するリモコン受光部、１３４は、視聴者の位置を検出するセンサ部である。
【００２４】
１４１は、上記各機能ブロックを制御するＣＰＵ、１４２は、制御情報等を記憶するメモリ、１４３は、チャンネル切り替えボタン等から構成される操作部である。
【００２５】
センサ部１３４は、距離測定用センサ（１０３Ｒ，１０３Ｌ）等により構成され、視聴者の位置を検出する。なお、検出した位置情報はメモリ１４２等に記憶される。
【００２６】
また、視聴者の位置を検出する処理は、視聴者がリモコン操作（複数画面表示機能を実行した場合も含む）を行った時、さらに、複数画面表示機能を実行してから所定時間毎に実行される。
【００２７】
また、視聴者の位置を検出する方法としては、例えば、赤外線リモコンの発光強度を用いる方法又は超音波センサを用いる方法がある。超音波センサを用いる方法では、２つの距離センサから超音波を発し、この超音波が障害物にあたり反射してセンサに戻るまでの所用時間を測定する。さらに、この時間と音速（約３４０ｍ／ｓ）とを乗算することで視聴者とテレビジョン装置１００との距離を算出し、この算出結果をもとに視聴者の位置を検出する。また、センサ部１３４は、新映像の視聴者がテレビジョン装置から離れたことを検出する機能を有し、複数画面表示機能を実行した視聴者がテレビジョン装置から離れたこと（テレビジョン装置から所定の距離外に視聴者が移動したこと）をセンサ部１３４が検出した場合には、複数画面表示制御部１２２ａは、複数画面の表示処理を自動的に終了し、複数画面表示処理開始前の映像のみを表示する、すなわち、元の表示状態に復帰するように表示制御を行う。
【００２８】
本発明により導入された映像種類判別部１２１は、新たに表示する映像の種類を判別する。判別する映像の種類としては、例えば、テレビ放送等の動画像、写真等の静止画像、文章等のレイアウト変更可能な映像（レイアウトを変更しても視聴が困難にならない映像）、外部機器の操作画面や番組表やテレビジョンの操作メニューなどの短時間表示するだけの映像等である。
【００２９】
本発明により導入された複数画面表示制御部１２２ａは、後述するように、新たに表示する映像の判定結果に基づいて、その表示態様を制御する。
【００３０】
このように複数画面の表示制御を行うことで、複数画面表示機能実行時に、テレビジョン装置と視聴者との相対的位置関係及び視聴する映像の種類に応じて、画面の配置位置やサイズを適切かつ自動的に調整することができる。
【００３１】
また、複数画面表示機能の終了操作をすることなく、複数画面の表示処理が自動的に終了するので、複数画面表示機能を実行した視聴者が複数画面表示機能の終了操作を忘れたために、複数画面が継続的に表示されるということがなくなる。そのため、複数画面表示機能実行前に表示されている映像を視聴している視聴者が不快に感じることがない。
【００３２】
また、音声出力制御部１２２ｂは、視聴者がテレビジョン装置に対して右側（左側）から視聴している場合には、右側（左側）のスピーカ１０２Ｒ（１０２Ｌ）から、複数画面表示機能実行前に出力されている音声（既表示映像に伴う音声）に重ねて、新たな映像の表示に伴う音声を小音量（所定の音量より低い音量）で出力する。
【００３３】
このように、音声出力制御を行うことで、既表示映像に伴う音声に対する影響を最小限に抑えて、新たに表示する映像に伴う音声を出力することができるため、視聴者が快適に番組を視聴することができる。なお、視聴者は近距離にいるため、小音量で出力しても聞き取ることができる。
【００３４】
図３は、複数画面表示機能実行時の画面配置の一例を示す図で、図３を用いて、本発明により導入された複数画面表示制御部１２２ａの機能について説明する。図３（Ａ）は、複数画面表示機能実行前にディスプレイに表示されている映像Ｐ１を示した図である。
【００３５】
図３（Ｂ）〜（Ｅ）は、テレビジョン装置から所定の距離ｄ１未満（換言すれば近距離）に位置する視聴者が、例えばリモコン２００に備えられた複数画面起動キーを操作した場合に、表示される画面を示したもので、Ｐ１は複数画面表示機能実行前に表示されていた既表示映像、Ｐ２は新たに表示する新映像である。
【００３６】
テレビジョン装置から所定の距離ｄ１未満に位置する視聴者が複数画面表示機能を実行した場合、視聴者はテレビジョン装置の画面の近くで視聴するので、複数画面表示機能実行前の元の画面に表示されていた映像Ｐ１の視聴にできるだけ影響が少ない大きさに分割する。例えば、通常、複数画面表示機能を有するテレビジョン装置の画面は比較的大きな画面であることを考慮すると、おおよそ全画面の表示領域の２０〜３０％程度（横辺の長さを基準として）を確保することが好ましい。
【００３７】
なお、所定の距離ｄ１は、画面の大きさ等を参考にして決定すればよい。例えば、ハイビジョンテレビの場合は、最適な視聴距離が画面の高さの３倍程度と言われていることを参考にすると、画面の高さの１〜１.５倍程度（換言すれば、最適な視聴距離の１／３〜半分程度）を所定の距離ｄ１と決定すればよい。
【００３８】
例えば、テレビ放送等の動画像を新たに表示する場合には、複数画面表示制御部１２２ａは、図３（Ｂ）のように、既表示映像Ｐ１の表示画面を少し縮小して配置すると共に、新たに表示する新映像Ｐ２の表示画面をディスプレイ右下隅の空いた領域に縮小して配置できるように、映像Ｐ１，Ｐ２の表示制御を行う。このように２画面を配置し、配置した画面に映像Ｐ１，Ｐ２を表示することで、既存の画面の情報をできるだけ損なわずに近距離において見やすいサイズと位置で動画を表示することができる。
【００３９】
また、レイアウトを修正しても視聴者に影響を与えない映像（例えば、文字情報等）を新たに表示する場合には、複数画面表示制御部１２２ａは、図３（Ｃ）のように、既表示映像Ｐ１の表示画面を少し縮小して配置すると共に、ディスプレイ右側に空いた表示領域全体に新映像を縮小せず、当該表示領域に合わせて縦長にレイアウトを変更して表示できるように、映像Ｐ１，Ｐ２の表示制御を行う。
このような表示態様で表示することにより文字を含む映像が縮小されて読みにくくなることを防止できると共に分割されたディスプレイの表示領域を有効に利用して必要な映像を十分に表示することができる。さらに、文字を含む画像を縮小して文字が読みにくくなることを防止できる。なお、画像を生成しているのがＰＣ等の外部機器の場合には、ディスプレイに表示されている画面の形状の変化を感知してレイアウトを修正できる機能が必要である。
【００４０】
また、ＰＣ，デジタルカメラ等から取り込んだ複数の静止画像を新たな映像として表示する場合には、複数画面表示制御部１２２ａは、図３（Ｄ）のように、既表示映像Ｐ１の表示画面を少し縮小して配置すると共に、ディスプレイ右端の空いた領域に、静止画の映像Ｐ２を縦に配列できるように、映像Ｐ１，Ｐ２の表示制御を行う。このように画面を配置することで、既存の映像を縮小することにより生じた領域を有効に利用することができる。なお、サムネイル画像や部分拡大画像を縦列表示してもよい。
【００４１】
また、機器を操作する間（ごく短時間）だけ表示すればよい映像（機器の操作メニュー、録画予約の設定画面や電子番組表等のＯＳＤ）を新たに表示する場合には、複数画面表示制御部１２２ａは、図３（Ｅ）のように、既表示映像Ｐ１の表示画面を縮小せず、新たに表示する新映像Ｐ２を縮小して画面右隅に重ねて表示できるように、映像Ｐ１，Ｐ２の表示制御を行う。このように画面を配置することで、既存の画面を縮小表示することなく録画予約に関する設定操作等を実行することができるため、既表示映像Ｐ１を視聴していた視聴者が不快に感じることなく複数画面を表示させることができる。
【００４２】
なお、図３（Ｂ）〜（Ｅ）では、新たに表示する映像の画面を全て画面右側に配置したが、リモコン装置２００等を利用して、表示画面の左側から複数画面表示機能を実行した場合には新しい画面を左側に配置するものとする。
【００４３】
図３（Ｆ）は、本発明が適用されない複数画面表示機能を実行した場合に表示される画面を示した図である。この場合には、視聴者とテレビジョン装置との距離の比に基づいて画面の大きさを変更して表示する。この複数画面表示機能は、従来提案されている複数画面表示機能と同一である。
【００４４】
図４は、複数画面表示機能を実行してから終了するまでの処理を説明するためのフロー図である。
視聴者がリモコン２００に備えられた複数画面起動キーを操作すると（ステップＳ１）、センサ部１３４で、視聴者とテレビジョン装置（ＴＶ装置）との距離等を示す視聴者位置情報を検出する（ステップＳ２）。
【００４５】
次に、ステップＳ３で、判定部１２３は、ステップＳ２で検出した視聴者位置情報をもとに視聴者とテレビジョン装置との距離が所定の距離ｄ１未満（換言すれば近距離）か否かを判定し、所定の距離ｄ１未満の場合には（ステップＳ３：ＹＥＳ）、映像種類判別部１２１が、新たに表示する映像の種類を判別する（ステップＳ４）。視聴者とテレビジョン装置との距離が所定の距離ｄ１以上の場合には（ステップＳ３：ＮＯ）、複数画面表示制御部１２２ａは、図３（Ｆ）に示すように視聴者とテレビジョン装置との距離の比に基づいて各画面の大きさを縮小して、該画面に映像を表示し（ステップＳ５）、複数画面表示処理を継続する（ステップＳ６）。
【００４６】
次に、映像種類判別部１２１で、新たに表示する映像の種類がテレビ放送等の動画像であると判別された場合には（ステップＳ４：テレビ放送）、図３（Ｂ）に示すように、複数画面表示制御部１２２ａは、新映像の表示画面をディスプレイの右又は左下隅に配置して所定の縮小率で縮小した映像を表示し（ステップＳ７）、複数画面表示機能実行前に表示していた既表示映像の表示画面を所定の縮小率で縮小して表示する（ステップＳ１２）。
【００４７】
また、新たに表示する映像の種類がＰＣ等の外部接続機器から入力された映像であると判別された場合には（ステップＳ４：ＰＣ（文字））、複数画面表示制御部１２２ａは、ＰＣ等に表示画面を縦長表示に適したレイアウトに変更させる指示を出し（ステップＳ８）、図３（Ｃ）に示すように、新映像の表示画面を縮小せずディスプレイの右又は左側に縦長画面として配置し、該縦長画面にレイアウトを変更した映像を表示して（ステップＳ１１）、ステップＳ１２の処理を実行する。
【００４８】
また、新たに表示する映像の種類が静止画であると判別された場合には（ステップＳ４：静止画）、図３（Ｄ）に示すように、複数画面表示制御部１２２ａは、新たに表示する複数の画面をディスプレイの右又は左側に縦に並べて配置し、配置した複数の画面に新映像の静止画を表示して（ステップＳ９）、ステップＳ１２の処理を実行する。
【００４９】
また、新たに表示する映像の種類がメニュー又は番組表等の映像であると判別された場合には（ステップＳ４：メニュー，番組表）、図３（Ｅ）に示すように、複数画面表示制御部１２２ａは、既表示映像の表示画面は縮小せず、新映像の表示画面を既表示映像の表示画面の右又は左下隅に所定の縮小率で縮小し重ねて表示する（ステップＳ１０）。
【００５０】
次に、視聴者がテレビジョン装置に対して右側（左側）から視聴している場合には、右側（左側）のスピーカ１０２Ｒ（１０２Ｌ）から新たな映像の表示に伴う音声を小音量で出力する（ステップＳ１３）。
【００５１】
その後、継続して視聴者の位置情報を検出し（ステップＳ１４）、ステップＳ１５で、視聴者とテレビジョン装置との距離が所定の距離ｄ２以上、すなわち視聴者がテレビジョン装置から離れたか否かを判定する。視聴者がテレビジョン装置から離れた場合には（ステップＳ１５：ＹＥＳ）、複数画面表示を終了し、元の表示状態に復帰する（ステップＳ１６）。視聴者がテレビジョン装置から離れていない場合には（ステップＳ１５：ＮＯ）、再びステップＳ１４以下の処理を実行する。
【００５２】
（実施例２）
図５は、図１で図示したように、本発明によるテレビジョン装置を正面から俯瞰した図で、１０４Ｒ（１０４Ｌ）はテレビジョン装置１００に向かって右側（左側）に配置されている複数画面起動キー、１０５Ｒ（１０５Ｌ）はテレビジョン装置１００に向かって右側（左側）に配置されている外部入力端子である。
【００５３】
図６は、本発明によるテレビジョン装置の他の実施例を説明するためのブロック図で、図１で図示したテレビジョン装置１００に、センサ部１３４に替わり複数画面起動キー１３５、及び、図示していない外部接続機器からテレビジョン装置の正面に配置されている外部入力端子１０５を通して映像及び音声信号が入力されたこと、さらに、前記外部接続機器からの映像及び音声信号が入力されなくなったことを検出する映像・音声信号検出部１２４を追加したものである。
【００５４】
また、図１で説明したように、判定部１２３は、視聴者が図１に示した複数画面起動キー１０４を操作した場合又は映像及び音声信号検出部１２４が外部入力端子１０５を通して外部機器から映像及び音声信号の入力があったことを検出した場合に、視聴者とテレビジョン装置１００との距離が所定の距離ｄ１未満（換言すれば近距離）であると判定する。
【００５５】
さらに、複数画面表示制御部１２２ａは、判定部１２３の判定結果（換言すれば、視聴者が図１に示した複数画面起動キー１０４を操作したこと又は外部入力端子１０５を通して外部機器から映像及び音声信号の入力があったこと）、及び、映像種類判別部１２１にて判別した映像の種類に基づいて複数画面の表示制御を行う。さらに、複数画面表示制御部１２２ａは、外部機器からの映像信号が入力されなくなった時に、自動的に複数画面表示機能を終了する。
【００５６】
このように、外部機器からの映像信号が入力された時に、自動的に複数画面表示機能を開始することで、視聴者が複数画面起動キーを操作せずとも複数画面表示機能を開始することができるため、視聴者の利便性が向上する。
【００５７】
さらに、外部機器からの映像信号が入力されなくなった時に、自動的に複数画面表示機能を終了することで、視聴者が複数画面表示機能終了キーを操作せずとも複数画面表示機能を終了することができるため、視聴者の利便性が向上する。
【００５８】
特に、スクリーンセーバ機能（マウスやキーボードを所定時間操作しないと映像信号出力を中止し、中止した後、再度マウス等を操作すると映像信号の出力を再開する機能）を有しているＰＣを外部機器としてテレビジョン装置１００に接続した場合には、ユーザがＰＣを操作している間は複数画面表示機能が実行され、ユーザがＰＣを所定時間操作しないと複数画面表示機能が自動的に終了するので、ＰＣのユーザ（視聴者）の利便性・操作性が向上する。
【００５９】
また、テレビジョン装置１００と視聴者との距離を測定するセンサ１０３を使用しないことで、テレビジョン装置の製造価格を抑えることができる。さらに、図１に示した複数画面起動キー１０４を本体に備えることで、他の視聴者がリモコンを使用しているため、リモコンが使用できなくても本発明が適用される複数画面表示機能を実行することができる。
【００６０】
図７は、複数画面表示機能を実行してから終了するまでの処理を説明するためのフロー図で、図４に示したフロー図とは、視聴者の位置を検出せずに複数画面表示処理の表示制御を行う点等が異なる。
視聴者がテレビジョン装置（ＴＶ装置）本体の複数画面起動キー１０４を操作した場合（ステップＳ２１）又は視聴者がテレビジョン装置本体前面に配置された外部入力端子１０５に外部機器を接続し、該外部機器から映像音声信号が入力された場合（ステップＳ２２）には、図４で説明したように、新たに表示する映像の種類を映像種類判別部１２１で判別し、判別結果に応じて複数画面表示制御部１２２ａで画面の表示制御を行う（ステップＳ２４〜ステップＳ２９）。
【００６１】
なお、視聴者が右側（左側）の複数画面起動キー１０４Ｒ（１０４Ｌ）を操作した場合又は右側（左側）の外部入力端子１０５Ｒ（１０５Ｌ）に外部機器を接続した場合には、画面右側（左側）に新たな映像を表示する。
【００６２】
さらに、視聴者が右側（左側）の複数画面起動キー１０４Ｒ（１０４Ｌ）を操作した場合又は右側（左側）の外部入力端子１０５Ｒ（１０５Ｌ）に外部機器を接続した場合には、右側（左側）のスピーカ１０２Ｒ（１０２Ｌ）から新たな映像の表示に伴う音声を小音量で出力する（ステップＳ３０）。
【００６３】
その後、ステップＳ３１で外部機器からの映像信号が入力されているか、ステップＳ３２でリモコン又は本体に備えられている複数画面起動キーが操作（複数画面表示処理の終了操作）されたか否かを判定する。外部機器からの映像信号が入力されなくなった場合（ステップＳ３１：ＹＥＳ）、リモコン又はテレビジョン装置本体に備えられている複数画面起動キーが操作された場合（ステップＳ３２：ＹＥＳ）、複数画面表示を終了し、元の表示状態に復帰する（ステップＳ３３）。なお、外部機器からの映像信号が入力中の場合（ステップＳ３１：ＮＯ）又は複数画面起動キーが操作されていない場合（ステップＳ３２：ＮＯ）には、複数画面表示を継続する。
【００６４】
また、実施例１，２では、本発明を２画面表示に適用した場合について説明したが３画面以上の複数画面表示に適用できることはいうまでもない。
図８は、３画面表示機能実行時の画面配置の一例を示す図で、図８（Ａ）は２映像（Ｐ１，Ｐ２）を同時に表示している状態を示した図、図８（Ｂ）は１映像（Ｐ１）を表示している状態を示した図である。
【００６５】
図８（Ａ）に示したように、２映像を同時に表示している状態から複数画面表示機能を実行して新たに映像を表示する場合、新たに表示する映像の種類がＴＶ放送等の動画像のときは、図８（Ａ１）に示すように前記動画像をディスプレイ下隅等の映像が表示されていない領域に縮小し映像Ｐ３として表示する。また、新たに表示する映像の種類が、ＰＣが出力した文字情報を含む静止映像のときは、図８（Ａ２）に示すように既表示の映像Ｐ１，Ｐ２を縮小し、縮小することにより生じた領域に、前記静止映像を映像Ｐ３として縦長に表示する。
【００６６】
また、図８（Ｂ）に示したように、１映像を表示している状態から複数画面表示機能を実行して新たに２種類の映像を表示する場合、新たに表示する映像の種類がＴＶ放送等の動画像及びＰＣが出力した文字情報を含む静止映像のときは、図８（Ｂ１）に示すように、既表示映像Ｐ１を縮小し、縮小することにより生じた下隅の領域に前記動画像を縮小して映像Ｐ２として表示し、縮小することにより生じた右側の領域に前記静止映像を映像Ｐ３として縦長に表示する。また、新たに表示する映像が前記静止映像のときは、図８（Ｂ２）に示すように、表示していた映像Ｐ１を縮小し、映像Ｐ２（映像Ｐ３）を映像Ｐ１を縮小することにより生じた領域の左側（右側）に縦長に表示する。
【図面の簡単な説明】
【００６７】
【図１】本発明によるテレビジョン装置を正面から俯瞰した図である。
【図２】本発明によるテレビジョン装置の実施例を説明するためのブロック図である。
【図３】複数画面表示機能実行時の画面配置の一例を示す図である。
【図４】複数画面表示機能を実行してから終了するまでの処理を説明するためのフロー図である。
【図５】本発明によるテレビジョン装置を正面から俯瞰した他の図である。
【図６】本発明によるテレビジョン装置の他の実施例を説明するためのブロック図である。
【図７】複数画面表示機能を実行してから終了するまでの処理を説明するための他のフロー図である。
【図８】３画面表示機能実行時の画面配置の一例を示す図である。
【符号の説明】
【００６８】
１００…テレビジョン装置、１０１…ディスプレイ、１０２Ｒ（１０２Ｌ）…テレビジョン装置の右側（左側）に配置されているスピーカ、１０３Ｒ（１０３Ｌ）…テレビジョン装置の右側（左側）に配置されているセンサ、１０４Ｒ（１０４Ｌ）…テレビジョン装置の右側（左側）に配置されている複数画面起動キー、１０５Ｒ（１０５Ｌ）…テレビジョン装置前面右側（左側）に配置されている外部入力端子、１１１…映像信号処理部、１１２…音声信号処理部、１２１…映像種類判別部、１２２…複数画面表示・音声出力制御部、１２２ａ…複数画面表示制御部、１２２ｂ…音声出力制御部、１２３…判定部、１２４…映像・音声信号検出部、１３１…映像出力部、１３２…音声出力部、１３３…リモコン受光部、１３４…センサ部、１３５…複数画面起動キー、１４１…ＣＰＵ、１４２…メモリ、１４３…操作部、２００…リモコン、Ｐ１，Ｐ２，Ｐ３…画面に表示する映像。
【図１】
2007288379.tif 000003
【図２】
2007288379.tif 000004
【図３】
2007288379.tif 000005
【図４】
2007288379.tif 000006
【図５】
2007288379.tif 000007
【図６】
2007288379.tif 000008
【図７】
2007288379.tif 000009
【図８】
2007288379.tif 000010